(57)【要約】【課題】発光手段から発生する熱が外部まで伝わるルートを更に増やした照明装置を提供すること。【解決手段】第１の開口を有する筒状ハウシングと、その一面を前記第１の開口に向け、その周縁が前記ハウシングの内壁面と接触させるように前記ハウシング内に取り付けられた放熱プレートと、前記放熱プレートの一面に取り付けられる基板部と、該基板部に取り付けられて前記第１の開口に向けて発光する発光モジュールとを有する発光ユニットと、を備えた照明装置であって、その一端が前記放熱プレートの他面と接触する導熱柱と、その一面が前記導熱柱の他端と接触すると共に、その周縁が前記ハウシングの内壁面と接触するように前記ハウシング内に取り付けられた導熱プレートとを有する導熱手段とを更に備えることを特徴とする照明装置を提供する。【選択図】        図２
0003136561.tif 000002
【実用新案登録請求の範囲】
【請求項１】
第１の開口を有する筒状ハウシングと、
その一面を前記第１の開口に向け、その周縁が前記ハウシングの内壁面と接触させるように前記ハウシング内に取り付けられた放熱プレートと、
前記放熱プレートの一面に取り付けられる基板部と、該基板部に取り付けられて前記第１の開口に向けて発光する発光モジュールとを有する発光ユニットと、を備えた照明装置であって、
その一端が前記放熱プレートの他面と接触する導熱柱と、その一面が前記導熱柱の他端と接触すると共に、その周縁が前記ハウシングの内壁面と接触するように前記ハウシング内に取り付けられた導熱プレートとを有する導熱手段とを更に備えることを特徴とする照明装置。
【請求項２】
前記ハウシングには、前記第１の開口の反対側に配置される第２の開口と、その内壁面に形成される縮径部と、軸線沿いに規則的に間隔をおいて前記縮径部に突設された複数のリブとを有し、そして、前記縮径部及び各前記リブの前記第１の開口と前記第２の開口に臨む両端には、それぞれ平面になっている第１の段部と第２の段部とを形成し、前記放熱プレートは前記第１の段部と接触するように取り付けられ、前記導熱プレートは前記第２の段部と接触するように取り付けられていることを特徴とする請求項１に記載の照明装置。
【請求項３】
前記導熱手段は、前記放熱プレート及び前記ハウシングの内壁面と接触するよう、前記放熱プレートと前記第１の開口の間に配置される導熱リングを更に有することを特徴とする請求項２に記載の照明装置。
【考案の詳細な説明】
【技術分野】
【０００１】
本考案は照明装置に関し、特に、発光手段から発生する熱を効率よく外部に発散させることが出来る照明装置に関する。
【背景技術】
【０００２】
図１に示すのは従来の照明装置の一例である。該照明装置はハウシング１内に発光手段としてのＬＥＤチップ１２２を取り付けたものであり、ＬＥＤチップ１２２から発生する熱を外部に発散させるため、放熱手段としてＬＥＤチップ１２２の下面及びハウシング１の内壁面に突設されたリブ１３両方と接触する放熱プレート１２３と、放熱プレート１２３の上面及び前記リブ１３両方と接触する放熱リング１１とを取り付けてなる。
【０００３】
ＬＥＤチップ１２２から発生する熱は、放熱プレート１２３とリブ１３を経由してハウシング１に伝わるルートＡと、放熱プレート１２３から放熱リング１１へ、そして放熱リング１１を経由してリブ１３及びハウシング１に伝わるルートＢとの二つのルートにより外部に発散させることができる。
【特許文献１】台湾実用新案出願９５２１９６１８号
【考案の開示】
【考案が解決しようとする課題】
【０００４】
しかしながら、上記従来の照明装置には更に進歩する余地が残っている。例えば、発光手段から発生する熱が外部まで伝わるルートをより増やすことによって、放熱の効率を向上させることが出来る。
【０００５】
したがって、本考案は発光手段から発生する熱が外部まで伝わるルートを更に増やした照明装置を提供することを目的とする。
【課題を解決するための手段】
【０００６】
上記目的を達成するため、本考案は第１の開口を有する筒状ハウシングと、その一面を前記第１の開口に向け、その周縁を前記ハウシングの内壁面と接触させるように前記ハウシング内に取り付けられた放熱プレートと、前記放熱プレートの一面に取り付けられる基板部と、該基板部に取り付けられて前記第１の開口に向けて発光する発光モジュールとを有する発光ユニットと、を備えた照明装置であって、その一端が前記放熱プレートの他面と接触する導熱柱と、その一面が前記導熱柱の他端と接触すると共に、その周縁が前記ハウシングの内壁面と接触するように前記ハウシング内に取り付けられた導熱プレートとを有する導熱手段とを更に備えることを特徴とする照明装置を提供する。
【０００７】
上記照明装置において、前記ハウシングには、前記第１の開口の反対側に配置される第２の開口と、内壁面に形成された縮径部と、軸線方向沿いに規則的に間隔を置いて前記縮径部に突設された複数のリブとを有し、そして、前記縮径部及び各前記リブの前記第１の開口と前記第２の開口に臨む両端には、それ平面になっている第１の段部と第２の段部を形成し、前記放熱プレートは前記第１の段部と接触するように取り付けられ、前記導熱プレートは前記第２の段部と接触するように取り付けられるように構成することが好ましい。
【０００８】
更に、前記導熱手段は、前記放熱プレート及び前記複数のリブと接触するよう、前記放熱プレートと前記第１の開口の間に配置される導熱リングを更に有するように構成することが好ましい。
【考案の効果】
【０００９】
上記構成によると、本考案は導熱リングのほかに、導熱柱及び導熱プレートからなる導熱手段を用いて、発光ユニットから発生して放熱プレートに伝わった熱がハウシングそして外部まで伝わる新たな放熱ルートを備えるので、放熱の効率が向上した照明装置を提供することが出来る。
【考案を実施するための最良の形態】
【００１０】
以下は図示を参照しながら、本考案の照明装置について詳しく説明する。
【００１１】
図２に示すのは本考案の照明装置の分解図であり、図３に示すのは本考案の照明装置の組み立てた状態の縦断面図である。図２、図３に示すように、該照明装置は主にハウシング２と、放熱プレート３と、発光ユニット４と、導熱手段５と、シール手段７とを備えてなるものである。
【００１２】
円管状に形成されたハウシング２の両端にはそれぞれ第１の開口２３と第２の開口２４とが形成されており、その内壁面２２には縮径部２１と、第１の開口２３及び第２の開口２４の中心を貫通する軸線Ｌ沿いに規則的に間隔を置いて縮径部２１に突設された複数のリブ２５、２５、２５…と、第２の開口２４の近くに配置されたシール手段７固定用の環状凹陥部２６とが形成されており、縮径部２１及び各リブ２５、２５、２５の第１の開口２３と第２の開口２４に臨む両端には、それぞれ一つの平面になっている第１の段部２５１と第２の段部２５２とが形成されている。
【００１３】
円盤状の放熱プレート３はハウシング２に対応し、その一面を第１の開口２３に向け、その周縁３１をハウシング２の内壁面２２と接触させると共に、その他面を第１の段部２５１と接触させるようにハウシング２内に取り付けられることができるように形成されている。また、放熱プレート３には熱の伝導効率を高める複数の通孔３２、３２、３２…と、導熱手段５と結合するために設けられる複数（本実施形態では４つ）のねじ孔３３、３３、３３、３３とを有している。
【００１４】
発光ユニット４は、放熱プレート３の第１の開口２３に臨む一面と接触するように取り付けられるアルミニウム材の基板部４１と、該基板部４１に取り付けられて第１の開口２３に向けて発光する複数の発光モジュール４２、４２、４２…とを備えてなるものである。本考案において、発光モジュール４２としては、高出力ＬＥＤ（Ｈｉｇｈ−Ｐｏｗｅｒ  Ｌｉｇｈｔ  Ｅｍｉｔｔｉｎｇ  Ｄｉｏｄｅ）モジュールを使用している。
【００１５】
導熱手段５について、本考案は放熱プレート３の一面、即ち第１の開口２３に臨む一面及びハウシング２の内壁面２２両方と同時に接触するよう、放熱プレート３と第１の開口２３の間に配置された導熱リング５３と、その一端が放熱プレート３の他面、即ち第２の開口２４に臨む一面と接触する導熱柱５１と、その一面が導熱柱５１の他端と接触すると共に、その周縁５２１がハウシング２の内壁面２２と接触し、第２の段部２５２とも接触するようにハウシング２内に取り付けられる導熱プレート５２と、導熱柱５１を放熱プレート３及び導熱プレート５２と結合させるためのねじ５４、５４、５４…とを備えてなるものである。なお、熱の伝導速度を高めるため、上記導熱柱５１や導熱プレート５２、導熱リング５３はすべて熱の伝導速度が速い金属材を用いて形成されている。
【００１６】
導熱リング５３は各発光モジュール４２、４２、４２…を囲むことができるようにリング状に形成されており、ハウシング２の内壁面２２と接触する外周面５３１と、発光モジュール４２、４２、４２…に臨む内周面５３２と、外周面５３１と内周面５３２との間に配置されて熱の伝導効率を高める複数の中空部５３３、５３３、５３３…とを有している。
【００１７】
導熱柱５１は円柱状に形成されており、図４の断面図に示すように、熱の伝導効率を高める複数（本実施形態では５つ）の中空部５１１、５１１、５１…と、ねじ５４及び放熱プレート３、導熱プレート５２に形成されたねじ孔に対応する雌ねじ５１２、５１２、５１２、５１２を有している。ねじ５４、５４、５４…を放熱プレート３、導熱プレート５２に形成された各ねじ孔に貫通させて導熱柱５１に形成された雌ねじ５１２、５１２、５１２、５１２にねじ込ませることによって導熱柱５１を放熱プレート３及び導熱プレート５２と結合させることができる。
【００１８】
シール手段７は第１の開口２３と第２の開口２４とそれぞれ対応して密封する第１のシール７１と第２のシール７２とからなるものである。
【００１９】
第１のシール７１は発光手段４を覆って各発光モジュール４２、４２、４２…だけ露出させるカバー７１１と、透明材質からなりカバー７１１を覆う透光板７１２と、透光板７１２の周縁とハウシング２の内壁面２２の間にある環状の隙間を封じる防水リング７１３と、円環状に形成されて第１の開口２３側から防水リング７１３をハウシング２の内側へ押し込む第１のキャップ７１４と、第１のキャップ７１４をハウシング２に固定するねじ７１５、７１５、７１５…とからなるものである。
【００２０】
第２のシール７２はＣ字形に形成されてハウシング２の内壁面２２に形成される環状凹陥部２６に嵌めこむ固定板７２１と、固定板７２１の第２の開口２４に臨む面に接触するように取り付けられる環状のバックプレート７２２と、バックプレート７２２の周縁とハウシング２の内壁面２２の間にある環状の隙間を封じる防水リング７２３と、円環状に形成されて第２の開口２４側から防水リング７２３をハウシング２の内側へ押し込む第２のキャップ７２４と、第２のキャップ７２４をハウシング２に固定するねじ７２５、７２５、７２５…とからなるものである。
【産業上の利用可能性】
【００２１】
上記構成によって、本考案は本考案は導熱リング５３のほかに、中空部５１１を有する導熱柱５１及び導熱プレート５２を加えるので、発光ユニット４から発生して放熱プレート３に伝わった熱は、導熱柱５１及び導熱プレート５２を経由してハウシング２そして外部まで伝わる新たな放熱ルートが出来上がり、放熱の効率が向上した照明装置を提供することが出来る。その上、導熱柱５１及び導熱プレート５２を設置することにより、照明装置内の金属材と空気の接触面積が増えるので、照明装置内の空気は発光ユニット４によって早く加熱される。そして、高熱に加熱された空気の熱伝導速度は低温度の空気より早いので、その高熱に加熱された空気を利用して熱を外部までを伝導して放熱効率を一層高めることが出来る。
【図面の簡単な説明】
【００２２】
【図１】従来の照明装置の一例を示す縦断面図。
【図２】本考案の照明装置の構成を示すの分解図。
【図３】同照明装置の組み立てた状態を示すの縦断面図。
【図４】導熱柱の構成を示す横断面図。
【符号の説明】
【００２３】
２  ハウシング
２１  縮径部
２２  内壁面
２３  第１の開口
２４  第２の開口
２５  リブ
２５１  第１の段部
２５２  第２の段部
２６  環状凹陥部
３  放熱プレート
３１  周縁
３２  通孔
３３  ねじ孔
４  発光ユニット
４１  基板部
４２  発光モジュール
５  導熱手段
５１  導熱柱
５１１  中空部（導熱柱）
５１２  雌ねじ
５２  導熱プレート
５３  導熱リング
５３１  外周面
５３２  内周面
５３３  中空部（導熱リング）
５４  ねじ
７  シール手段
７１  第１のシール
７１１  カバー
７１２  透光板
７１３  防水リング
７１４  第１のキャップ
７１５  ねじ
７２  第２のシール
７２１  固定板
７２２  バックプレート
７２３  防水リング
７２４  第２のキャップ
７２５  ねじ
【図１】
0003136561.tif 000003
【図２】
0003136561.tif 000004
【図３】
0003136561.tif 000005
【図４】
0003136561.tif 000006